(57)【要約】【課題】洗浄槽内に入れられた食器類の大きさや形状に係わらず、確実に洗剤を投入することができる食器洗い機を提供する。【解決手段】上方に開口部１８ａを有し食器類２を収容する洗浄槽１８と、前記洗浄槽１８を前後方向へ出し入れ自在に支持する筐体６と、前記洗浄槽１８の外に設けられ前記洗浄槽１８内へ洗剤を投入する洗剤投入口２０と、前記洗剤投入口２０と前記洗浄槽１８とを連通する投入経路２１を備えたもので、洗浄槽１８とは独立した箇所に設けた洗剤投入口２０から洗剤を投入することにより、洗浄槽１８内に入れられた食器類２の大きさや形状に係わらず、確実に洗剤を投入することができる。【選択図】図１
2007135650.tif 000002
【特許請求の範囲】
【請求項１】
上方に開口部を有し食器類を収容する洗浄槽と、前記洗浄槽を前後方向へ出し入れ自在に支持する筐体と、前記洗浄槽の外に設けられ前記洗浄槽内へ洗剤を投入する洗剤投入口と、前記洗剤投入口と前記洗浄槽とを連通する投入経路を備えた食器洗い機。
【請求項２】
投入経路の洗浄槽側の開口を、前記洗浄槽内へ収納される食器類と前記洗浄槽内に溜められる洗浄水の水位との間の高さに配した請求項１に記載の食器洗い機。
【請求項３】
洗剤投入口を、洗浄槽の開口部とほぼ同一高さに配し、かつ、前記洗浄投入口と前記開口部とを、一定の広さを有する略平面で繋げた請求項１又は２に記載の食器洗い機。
【請求項４】
洗浄槽内の洗浄水を投入経路内に導く洗浄経路を設けた請求項１〜３のいずれか１項に記載の食器洗い機。
【請求項５】
洗剤投入口を閉塞する蓋部を設けた請求項１〜４のいずれか１項に記載の食器洗い機。
【請求項６】
洗浄槽の出し入れ動作に連動して、蓋部が洗剤投入口を開閉するようにした請求項５に記載の食器洗い機。
【発明の詳細な説明】
【技術分野】
【０００１】
本発明は、筐体より洗浄槽を引き出して食器類を収容し、洗浄する食器洗い機に関するものである。
【背景技術】
【０００２】
従来、システムキッチンに組み込まれた状態で使用されるビルトイン型の食器洗い機は、前方に開閉可能な扉部を有する洗浄槽を筐体内に固定したものが主流であったが、近年、上方に開口部を有する洗浄槽を筐体より引き出して食器類を収容し、洗浄する食器洗い機が主流となっている（例えば、特許文献１参照）。
【０００３】
上記特許文献１に開示された従来のこの種の食器洗い機について、図６を用いて説明する。
【０００４】
図６に示すように、従来の食器洗い機の洗浄槽１は、上方に開口部１ａを有し、食器類２や調理器具３を収容する食器かご４を配置している。洗浄槽１の下方には、第１のレール５を固定しており、第１のレール５は、筐体６に固定した第２のレール７に前後方向へ平行移動可能に支持されている。食器類２の出し入れを行う際には、洗浄槽１を前方へ引き出し、上方の開口部１ａより食器かご４に食器類２を収容する。
【０００５】
食器類２を洗浄槽１に収容した後、洗浄槽１内に洗剤を投入する。洗浄槽１内の所定の位置に洗剤を投入する方式の食器洗い機の場合は、食器かご４に洗剤入れ８が設けられておりこの洗剤入れ８に洗剤を投入する。洗剤の投入位置を限定しない方式の食器洗い機では、洗剤入れ８は備えられておらず、洗浄槽１の開口部１ａより洗剤を直接投入する。
【０００６】
筺体６の上方には、洗浄槽１上方の開口部１ａを閉塞する中蓋９を設けており、中蓋９はリンク１０を介して筺体６に上下方向に移動可能に保持されている。また、中蓋９はばね１１によって筺体６と繋がれており、中蓋９は、ばね１１の張力で筺体６の上方へ持ち上げられるように構成されている。
【０００７】
食器洗い機を運転する際には、洗浄槽１を筐体６内の所定の位置まで収納する。所定の位置に収納する際、洗浄槽１の前方に設けた凸部１２が、中蓋９の前方端面に当接し、中蓋９はリンク１０を介して下方へ引き込まれ、中蓋９に設けたパッキング１３が洗浄槽１の開口部１ａに接し洗浄槽１が閉塞される。この状態でハンドル１４をロックすることで、運転中の洗浄槽１の動きを保持する。
【０００８】
運転を開始すると、洗浄槽１内の所定の位置まで給水され、洗浄槽１内に溜められた水はヒータ１５によって加熱されるとともにポンプ１６によって循環し、食器かご４の下方に回転自在に設けた洗浄ノズル１７より噴射されて食器類２や調理器具３を洗浄する。
【特許文献１】特開２００２−０６５５５１号公報
【発明の開示】
【発明が解決しようとする課題】
【０００９】
しかしながら、このような従来の食器洗い機の構成では、洗浄槽１内に大きな食器類２やフライパンなどの調理器具３を入れた場合に、それらが洗剤入れ８を覆ってしまい、洗剤入れ８に洗剤が投入できなくなるという課題があった。また、洗浄槽１内に洗剤入れ８が無い方式の食器洗い機においても、洗浄槽１内を覆っている食器類２や調理器具３の上から洗剤を投入することになり、食器類２や調理器具３の上に洗剤が溜まった状態で洗浄が行われる。洗浄水は食器かご４の下方に回転自在に設けた洗浄ノズル１７より噴射されるために食器類２や調理器具３の上には水が廻りにくく、洗浄が終了しても食器類２や調理器具３の上に洗剤が残るという課題があった。
【００１０】
本発明は上記従来の課題を解決するもので、洗浄槽内に入れられた食器類の大きさや形状に係わらず、確実に洗剤を洗浄槽内に投入することができる食器洗い機を提供することを目的としている。
【課題を解決するための手段】
【００１１】
前記従来の課題を解決するために、本発明の食器洗い機は、上方に開口部を有し食器類を収容する洗浄槽と、前記洗浄槽を前後方向へ出し入れ自在に支持する筐体と、前記洗浄槽の外に設けられ前記洗浄槽内へ洗剤を投入する洗剤投入口と、前記洗剤投入口と前記洗浄槽とを連通する投入経路を備えたもので、洗浄槽とは独立した箇所より洗剤を投入することができるため、洗浄槽内に入れられた食器類の大きさや形状に係わらず、確実に洗剤を投入することができる。
【発明の効果】
【００１２】
本発明の食器洗い機は、洗浄槽内に入れられた食器類の大きさや形状に係わらず、確実に洗剤を投入することができる。
【発明を実施するための最良の形態】
【００１３】
第１の発明は、上方に開口部を有し食器類を収容する洗浄槽と、前記洗浄槽を前後方向へ出し入れ自在に支持する筐体と、前記洗浄槽の外に設けられ前記洗浄槽内へ洗剤を投入する洗剤投入口と、前記洗剤投入口と前記洗浄槽とを連通する投入経路を備えたもので、洗浄槽とは独立した箇所より洗剤を投入することができるため、洗浄槽内に入れられた食器類の大きさや形状に係わらず、確実に洗剤を投入することができる。
【００１４】
第２の発明は、特に、第１の発明の投入経路の洗浄槽側の開口を、前記洗浄槽内へ収納される食器類と前記洗浄槽内に溜められる洗浄水の水位との間の高さに配したもので、洗剤投入口から投入された洗剤が洗浄槽内に入れられた食器類の下方より洗浄槽内に導かれ、かつ洗浄槽に洗浄水を溜めた後も投入経路の下流側の開口が水没しない為、洗浄水を溜めた後でも、食器類の大きさや形状に係わらず、確実に洗剤を投入することができる。
【００１５】
第３の発明は、第１又は第２の発明の洗剤投入口を、洗浄槽の開口部とほぼ同一高さに配し、かつ、前記洗浄投入口と前記開口部とを、一定の広さを有する略平面で繋げたもので、洗剤投入口の周辺に略平面部があるため洗剤投入時に洗剤がこぼれても洗剤が床面等に落ちることなく、また掃除を容易に行うことができる。
【００１６】
第４の発明は、特に、第１〜３のいずれか一つの発明の洗浄槽内の洗浄水を投入経路内に導く洗浄経路を設けたもので、洗浄中に洗浄水が洗浄経路を通って投入経路内へ送られるため、洗剤投入時に投入経路内に洗剤が付着しても、洗浄時に投入経路を流れる洗浄水で洗浄されるので、投入経路内を常に清潔に保つことができる。
【００１７】
第５の発明は、特に、第１〜４のいずれか一つの洗剤投入口を閉塞する蓋部を設けたもので、洗浄中に洗浄槽内に溜まった湿気を含んだ空気が投入経路を通り洗剤投入口から出ないようにすることができる。
【００１８】
第６の発明は、特に、第５の発明の洗浄槽の出し入れ動作に連動して、蓋部が洗剤投入口を開閉するようにしたもので、蓋部の開閉動作を別途行うことなく洗浄槽を筐体に収納する動作のみで洗剤投入口を閉塞することができるため、不要な動作を必要とせずに洗浄中に洗浄槽内に溜まった湿気を含んだ空気が投入経路を通り洗剤投入口から出ないようにすることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における食器洗い機の縦断面図である。なお、従来例と同一部分については同一符号を付してその説明を省略する。
【００２１】
図１において、１８は、洗浄槽で、上方に開口部１８ａを有し、食器類２や調理器具３を収容する食器かご４を配置している。洗浄槽１８の下方に第１のレール５が固定されており、その第１のレール５は、筐体６に固定した第２のレール７によって前後方向へ平行移動可能に支持されている。
【００２２】
２５は、筺体６の上方に設けられ、洗浄槽１８を筐体６内に収納したときに、洗浄槽１８の上方の開口部１８ａを閉塞する中蓋で、中蓋２５は、リンク１０を介して筺体６に上下方向に移動可能に保持されている。また、中蓋２５はばね１１によって筺体６と繋がれており、中蓋２５は、洗浄槽１８が筐体６から引き出された時に、ばね１１の張力で筺体６の上方へ持ち上げられるように構成されている。１３は、中蓋２５に設けられ、開口部１８ａを中蓋２５で閉塞したときに、開口部１８ａと中蓋２５との間の気密を確保するパッキングである。
【００２３】
洗浄槽１８の開口部１８ａの前方には開口部１８ａとほぼ同じ高さの平面部１９を設けており、平面部１９の一部には、洗剤を投入するための洗剤投入口２０を設けている。洗剤投入口２０の下方には投入された洗剤を導く投入経路２１を設け、投入経路２１の出口側の開口は、洗浄槽１８の側壁下方の食器かご４の底面より低く、かつ洗浄槽１８に溜められる洗浄水の水位よりも高い位置に設けた開口２２と連結され、洗浄槽１８内に向けて開放されている。また、投入経路２１には洗浄槽１８内の洗浄水を導く洗浄経路２３を設けている。他の構成は従来例と同じである。
【００２４】
上記構成における食器洗い機の動作、作用を説明する。
【００２５】
図１に示すように、洗浄槽１８を前方へ引き出し、上方の開口部１８ａより食器かご４に食器類２や調理器具３を収容した後、洗剤投入口２０より洗剤を投入する。投入された洗剤は投入経路２１を通り洗浄槽１８の側壁に設けた開口２２より洗浄槽内１８に溜められる。洗剤の投入は洗剤投入口２０で行い、洗剤は、洗浄槽１８内に入るまでは洗浄槽１８の外を通るため、洗浄槽１８内に大きな食器類２や調理器具３が入れられ、それらによって洗浄槽１８の開口部１８ａが覆われていた場合でも、洗浄槽１８内の状態に関係なく開口部１８ａとは独立した洗剤投入口２０で洗剤を容易に投入することができる。また、洗浄槽１８の側壁に設けた開口２２は、食器かご４の底面、すなわち食器類２より低い位置にあるため、洗浄槽１８内の食器類２に遮られることなく洗浄槽１８内に洗剤を確実に投入することができる。また、洗浄槽１８の側壁に設けた開口２２は、洗浄の為に洗浄槽１８に溜められる洗浄水の水位よりも高い位置にあるため、開口２２が水没することがなく、確実に洗剤を投入することができる。
【００２６】
また、洗浄槽１８の開口部１８ａと同じ高さに洗剤投入口２０を設け、洗浄槽１８の開口部１８ａと洗剤投入口２０を平面部１９で繋げている為、洗剤投入時に洗剤がこぼれても洗剤が床面等に落ちることなく、掃除を容易に行うことができる。また、洗浄中に洗浄水が洗浄経路２３を通って投入経路２１内へ送られるため、洗剤投入時に投入経路２１内に洗剤が付着しても洗浄時に投入経路２１内が洗浄され、投入経路２１内を常時清潔に保つことができる。
【００２７】
（実施の形態２）
図２は、本発明の第２の実施の形態における食器洗い機の要部拡大断面図、図３は、同食器洗い機の洗剤投入部斜視図である。なお、本実施の形態における食器洗い機の基本構成および動作、ならびに洗剤投入の基本構成は、上記実施の形態１と同じであるため、実施の形態１と同一部分については同一符号を付してその説明を省略する。
【００２８】
図２、３において、洗浄槽１８の開口部１８ａの前方には開口部１８ａとほぼ同じ高さの平面部１９を設けており、平面部１９の一部には、洗剤を投入するための洗剤投入口２０を設けている。洗剤投入口２０の下方には投入された洗剤を洗浄槽１８内に導く投入経路２１を設け、投入経路２１の出口側の開口は洗浄槽１８の側壁下方の食器かご４の底面より低い位置に設けた開口２２と連結され、洗浄槽１８内に向けて開放されている。
【００２９】
洗剤投入口２０には、開閉自在の蓋部２４を設けており、洗剤投入時以外は洗剤投入口２０が閉塞可能に構成されている。他の構成は、上記第１の実施の形態と同じである。
【００３０】
上記構成における食器洗い機の動作、作用を説明すると、洗剤投入口２０より洗剤を投入後、蓋部２４を閉めることによって洗剤投入口２０が閉塞されるため、洗浄中に洗浄槽１８内に溜まった湿気を含んだ空気が投入経路２１を通り洗剤投入口２０から出ないようにすることができる。
【００３１】
（実施の形態３）
図４は、本発明の第３の実施の形態における食器洗い機の要部拡大断面図、図５は、同食器洗い機の洗剤投入部の斜視図である。なお、本実施の形態における食器洗い機の基本構成および動作、ならびに洗剤投入の基本構成は、上記実施の形態１と同じであるため、実施の形態１と同一部分については同一符号を付してその説明を省略する。
【００３２】
図４、５において、洗浄槽１８の開口部１８ａの前方には、開口部１８ａとほぼ同じ高さに平面部１９を設け、その平面部１９の一部に、洗剤を投入するための洗剤投入口２０を設けている。洗剤投入口２０の下方には、投入された洗剤を導く投入経路２１を設け、投入経路２１の出口側の開口は、洗浄槽１８の側壁下方の食器かご４の底面より低い位置に設けた開口２２と連結され、洗浄槽１８内に向けて開放されている。
【００３３】
中蓋２５には、洗浄槽１８上方の開口部１８ａを閉塞するパッキング１３の外側に洗剤投入口２０を閉塞するための蓋部２６を一体で形成しており、中蓋２５の閉動作に合わせて洗剤投入口２０が閉塞されるようになっている。他の構成は、上記第１の実施の形態と同じである。
【００３４】
上記構成における食器洗い機の動作、作用を説明すると、洗剤投入口２０より洗剤を投入後に、洗浄槽１８を筐体６内の所定の位置まで収納するが、この収納動作によって、中蓋２５の上下動作と同時に蓋部２６も上下動作するため、ユーザーは洗剤投入後に洗浄槽１８を収納する動作のみで、洗浄槽１８の開口部１８ａと洗剤投入口１８ａを同時に閉塞することができる。これにより洗浄中に洗浄槽１８内に溜まった湿気を含んだ空気が投入経路２１を通り洗剤投入口２０から出ないようにすることができる。
【産業上の利用可能性】
【００３５】
以上のように、本発明にかかる食器洗い機は、洗浄槽とは独立した箇所より洗剤を投入することで、洗浄槽内に入れられた食器類の大きさや形状に係わらず、確実に洗剤を投入することができるもので、引き出し式の洗浄槽を有し洗剤を使用する食器洗い機や、洗浄装置等に広く適用できる。
【図面の簡単な説明】
【００３６】
【図１】本発明の実施の形態１における食器洗い機の縦断面図
【図２】本発明の実施の形態２における食器洗い機の要部拡大断面図
【図３】同食器洗い機の洗剤投入部斜視図
【図４】本発明の実施の形態３における食器洗い機の要部拡大断面図
【図５】同食器洗い機の洗剤投入部の斜視図
【図６】従来の食器洗い機の縦断面図
【符号の説明】
【００３７】
２  食器類
６  筐体
１８  洗浄槽
１８ａ  開口部
２０  洗剤投入口
２１  投入経路
２２  開口
【図１】
2007135650.tif 000003
【図２】
2007135650.tif 000004
【図３】
2007135650.tif 000005
【図４】
2007135650.tif 000006
【図５】
2007135650.tif 000007
【図６】
2007135650.tif 000008